(57)【特許請求の範囲】
【請求項１】
身体側に位置する透液性トップシートと、外面側に位置する不透液性バックシートと、前記透液性トップシートと前記不透液性バックシートとの間に介在された吸収体とを有し、股間部から腹側に延在する腹側部分と、股間部から背側に延在する背側部分とを有する吸収性物品であって、
前記吸収性物品の身体側面における幅方向両側部には、前後方向に沿って延在するバリヤーシートが設けられており、
前記バリヤーシートは、前記吸収性物品の身体側面に固定された付根部分と、この付根部分から突出する突出部分と、この突出部分のうち前後方向両端部にそれぞれ設けられた前記吸収性物品の身体側面に対する固定部分と、前記突出部分のうち前後の固定部分間に位置する非固定の自由部分と、この自由部分の少なくとも先端部に、前後方向に伸長した状態で固定されたギャザー弾性伸縮部材とを有し、前記ギャザー弾性伸縮部材の収縮作用により前記自由部分が前記吸収性物品の身体側面から起立するようになっており、
前記股間部の幅方向両側部間に亘ってそれぞれ延在し、前記股間部上で互いに交差するよう配置された細長且つ可撓性の隆起抑制部材を一対有しており、これら一対の隆起抑制部材は、前記自由部分における前記透液性トップシート側の面或いは前記透液性トップシートの身体面側における側端部のみに固定され、
前記股間部が所定高さ以上隆起して前記隆起抑制部材に当接した際に、前記隆起抑制部材がその長手方向に引張状態となるよう構成された、
ことを特徴とする吸収性物品。
【請求項２】
前記隆起抑制部材がその長手方向に弾性伸縮可能である、請求項１に記載の吸収性物品。
【請求項３】
前記隆起抑制部材に、吸収材が固着されている、請求項１又は請求項２に記載の吸収性物品。
【請求項４】
前記股間部の幅方向中央部分における前記吸収体には、前後方向に沿ってスリットが形成されている、請求項１〜請求項３のいずれか１項に記載の吸収性物品。
【請求項５】
前記股間部及びその近傍における前記吸収体と前記不透液性バックシートとの間には、弾性部材が幅方向に伸長した状態で固定されている、請求項１〜請求項４記載のいずれか１項に吸収性物品。
【請求項６】
前記一対の隆起抑制部材は、前記交差する部分で相互に接着されている、請求項１〜請求項５のいずれか１項に記載の吸収性物品。
【発明の詳細な説明】
【技術分野】
【０００１】
本発明は、使い捨ておむつ、吸収パッド、生理用ナプキン等の、股間を覆うように身体に装着される吸収性物品に関する。
【背景技術】
【０００２】
使い捨ておむつや吸収パッド、生理用ナプキン等の股間を覆うように身体に装着される吸収性物品は、一般的に、身体側の面における幅方向両側部にバリヤーシートが取り付けられた構造とされている（例えば特許文献１参照）。
ここで、図１２に示す吸収パッド３００のように、吸収性物品に取り付けられる一般的なバリヤーシート２４は、吸収パッド３００内面に固定された付根部分６５と、この付根部分６５から突出する突出部分６６とを有しており、この突出部分６６のうち前後方向両端部６７，６７が透液性トップシート２２表面に接着固定されるとともに、中間部が非固定の自由部分６８とされ、この自由部分６８の少なくとも先端部に、前後方向に沿ってギャザー弾性伸縮部材２４Ｇが伸長状態で固定されることによって、ギャザー弾性伸縮部材２４Ｇの収縮作用により自由部分６８が透液性トップシート２２表面から起立するようになっている。なお、図１２中の網掛け部分（点模様部分）は接着固定部分を示しており、また、符号２３は吸収体を示している。
【先行技術文献】
【特許文献】
【０００３】
【特許文献１】特開２００９−１７８４２１号公報
【特許文献２】特開２００９−８２４３９号公報
【特許文献３】特開２００１−２０４７６０号公報
【発明の概要】
【発明が解決しようとする課題】
【０００４】
一般的に、このような吸収性物品の股間部の幅方向長さは、排泄物を確実に受けられるように装着者の股間よりもある程度幅広とされている。このため、股を閉じた際に装着者の脚の付け根部分や太ももの内側部分で股間部の幅方向両側部分が押えられることによって、股間部における吸収体が中央側に向かって幅方向に圧縮され、股間部の幅方向中央部分が身体側に向かって隆起するような形状となることがある。このとき、この隆起した部分が前述のバリヤーシートの自由部分よりも高くなってしまい、隆起部分に達した排泄物がバリヤーシートの自由部分を越えて横方向に漏れてしまうことがあった。
【０００５】
そこで、本発明の主たる課題は、股間部の隆起部分に達した排泄物がバリヤーシートの自由部分を越えることによって生じる横漏れを軽減可能な吸収性物品を提供することにある。
【課題を解決するための手段】
【０００６】
上記課題を解決するための手段及びそれらの作用効果は次記のとおりである。なお、以下の説明において、外側及び外面側とは、身体側に対する反対側を意味する。
〔請求項１記載の発明〕
身体側に位置する透液性トップシートと、外面側に位置する不透液性バックシートと、前記透液性トップシートと前記不透液性バックシートとの間に介在された吸収体とを有し、股間部から腹側に延在する腹側部分と、股間部から背側に延在する背側部分とを有する吸収性物品であって、
前記吸収性物品の身体側面における幅方向両側部には、前後方向に沿って延在するバリヤーシートが設けられており、
前記バリヤーシートは、前記吸収性物品の身体側面に固定された付根部分と、この付根部分から突出する突出部分と、この突出部分のうち前後方向両端部にそれぞれ設けられた前記吸収性物品の身体側面に対する固定部分と、前記突出部分のうち前後の固定部分間に位置する非固定の自由部分と、この自由部分の少なくとも先端部に、前後方向に伸長した状態で固定されたギャザー弾性伸縮部材とを有し、前記ギャザー弾性伸縮部材の収縮作用により前記自由部分が前記吸収性物品の身体側面から起立するようになっており、
前記股間部の幅方向両側部間に亘ってそれぞれ延在し、前記股間部上で互いに交差するよう配置された細長且つ可撓性の隆起抑制部材を一対有しており、これら一対の隆起抑制部材は、前記自由部分における前記透液性トップシート側の面或いは前記透液性トップシートの身体面側における側端部のみに固定され、
前記股間部が所定高さ以上隆起して前記隆起抑制部材に当接した際に、前記隆起抑制部材がその長手方向に引張状態となるよう構成された、
ことを特徴とする吸収性物品。
【０００７】
（作用効果）
このように可撓性の隆起抑制部材が設けられていることによって、引張状態とされた隆起抑制部材で、着用時の股間部の隆起を押さえることができるようになっており、股間部における隆起部分の高さを低くすることができる。従って、本請求項に係る発明によれば、隆起部分に達した排泄物がバリヤーシートの自由部分を越えて横漏れが生じることを軽減することができる。
【０００８】
また、隆起抑制部材が細長とされており、且つ、股間部に亘って配置されていることで、液体状の排泄物が隆起抑制部材を伝うようにして吸収性物品上に拡散し、吸収体の一部分に集中しないため、満遍なく吸収することができ、排泄物の逆戻りが起こりにくい。
【０００９】
さらに、本請求項に係る発明では、隆起抑制部材の交差部分が股間部上に位置しているため、吸収性物品を股間に当てる際に交差部分を目印とすることもできる。
【００１０】
〔請求項２記載の発明〕
前記隆起抑制部材がその長手方向に弾性伸縮可能である、請求項１に記載の吸収性物品。
【００１１】
（作用効果）
本請求項に係る発明のように、隆起抑制部材がその長手方向に弾性伸縮可能であると、装着者の動きによって吸収性物品の形状が変化したとしても、隆起抑制部材の非固定部分を引張状態に保持することができる。
【００１２】
〔請求項３記載の発明〕
前記隆起抑制部材に、吸収材が固着されている、請求項１又は請求項２に記載の吸収性物品。
【００１３】
（作用効果）
本請求項に係る発明のように構成されていることによって、隆起抑制部材に接触した液体状の排泄物の一部が吸収材によって吸収されるため、吸収性物品の排泄物の吸収量を増やすことができる。また、排泄物を吸収した隆起抑制部材はその重量が増すので、股間部の隆起をより確実に押さえることができる。
【００１４】
〔請求項４記載の発明〕
前記股間部の幅方向中央部分における前記吸収体には、前後方向に沿ってスリットが形成されている、請求項１〜請求項３のいずれか１項に記載の吸収性物品。
【００１５】
（作用効果）
本請求項に係る発明のようにスリットが形成されていると、排泄物がスリットに沿って前後に拡散するために吸収体全体で排泄物の吸収を行えると共に、吸収体が股間部の中央側に向かって幅方向に圧縮された際に、スリットが狭くなって吸収体による隆起を低くすることができる。
【００１６】
〔請求項５記載の発明〕
前記股間部及びその近傍における前記吸収体と前記不透液性バックシートとの間には、弾性部材が幅方向に伸長した状態で固定されている、請求項１〜請求項４記載のいずれか１項に吸収性物品。
【００１７】
（作用効果）
本請求項に係る発明によれば、弾性部材の伸縮作用により吸収体が波状に変形するため、吸収体の一部分だけが突出して隆起することがなく、その結果、隆起の高さを低くすることができる。
【００１８】
〔請求項６記載の発明〕
前記一対の隆起抑制部材は、前記交差する部分で相互に接着されている、請求項１〜請求項５のいずれか１項に記載の吸収性物品。
【００１９】
（作用効果）
隆起抑制部材によって股間部の隆起部分をより確実に押さえるためには、隆起抑制部材の交差部分が股間部上に位置していることが好ましい。そこで、本請求項に係る発明のように、一対の隆起抑制部材が交差部分で相互に接着されていることによって、一対の隆起抑制部材が相互に動きを規制するため、隆起抑制部材の交差部分が股間部上からずれてしまうことを防止することができる。
【発明の効果】
【００２０】
以上のように、本発明によれば、股間部の隆起部分に達した排泄物がバリヤーシートの自由部分を越えることによって生じる横漏れを軽減可能な吸収パッドを提供することができる。
【図面の簡単な説明】
【００２１】
【図１】吸収パッドの展開状態の表面側を示す平面図である。
【図２】吸収パッドの展開状態の裏面側を示す平面図である。
【図３】図１のＹ−Ｙ断面図である。
【図４】図１のＺ１−Ｚ１断面図である。なお、符号ＡはＺ１−Ｚ１断面の一部を拡大した様子を示している。
【図５】吸収パッドを取り付けた状態の、テープ式使い捨ておむつの展開状態の表面側を示す平面図である。
【図６】吸収パッドの装着状態における股間部の幅方向中央部分が身体側に向かって隆起した様子を示す概念図である。
【図７】吸収パッド（その他の実施形態）の展開状態の表面側を示す平面図である。
【図８】吸収パッド（その他の実施形態）の展開状態の表面側を示す平面図である。
【図９】図１のＺ２−Ｚ２断面図である。
【図１０】吸収パッド（その他の実施形態）の展開状態の表面側を示す平面図である。
【図１１】吸収パッド（その他の実施形態）の図４に対応する断面図である。
【図１２】従来の吸収パッドの展開状態の表面側を示す平面図である。
【発明を実施するための形態】
【００２２】
以下、本発明に係る吸収性物品の一実施形態について尿吸収パッドの例を引いて説明する。本発明に係る吸収性物品は使い捨ておむつや生理用ナプキン等にも適用できるものである。なお、以下の説明において「股間部」とは使用時に身体の股間と対応させる部分を意味し、殆ど多くの製品では前後方向中央部及びその前後近傍の部分である。具体的には、成人向け吸収パッドの場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００２３】
図１〜図４は、本発明に係る吸収パッド例２００を示している。この吸収パッド２００は、紙おむつ１００の内面に敷いて使用されることを想定したものであり、股間部Ｃ２と、その前後両側に延在する前側部分Ｆ２及び後側部分Ｂ２とを有するものである。各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００２４】
吸収パッド２００は、不透液性バックシート２１の内面と、透液性トップシート２２との間に、吸収体２３が介在された基本構造を有している。
【００２５】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。
【００２６】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２７】
吸収体２３の裏面側には、不透液性バックシート２１が吸収体３の周縁より所定長さ食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２８】
不透液性バックシート２１の裏面側は、カバーシート３０によって覆うこともでき、この場合、カバーシート３０と不透液性バックシート２１とは、接着剤を用いて固定される。このカバーシート３０としては、各種の不織布を用いることができ、該不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。カバーシート３０は、樹脂製のフィルムで形成することも可能であるが、不織布で形成すると吸収パッド２００外面の肌触り感が向上するため、不織布で形成することが好ましい。
【００２９】
吸収体２３の表面側は、透液性トップシート２２により覆われている。図示形態では透液性トップシート２２の側縁から吸収体２３が一部食み出しているが、吸収体３の側縁が食み出さないように透液性トップシート２２の幅を広げることもできる。透液性トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３０】
吸収パッド２００の両側部では、不透液性バックシート２１が吸収体２３の側縁よりも外側にそれぞれ延在され、この延在部から透液性トップシート２２の側部までの部分の内面には、バリヤーシート２４が前後方向に亘って貼り合わせられている。これらのバリヤーシート２４の内面は、透液性トップシート２２の側部上に幅方向の固定始端２４ｂを有し、この固定始端２４ｂから幅方向外側の部分は、不透液性バックシート２１の側部に貼り合わされた付根部分６５とされている。
【００３１】
脚周りにおいては、バリヤーシート２４の固定始端２４ｂから突出する突出部分６６は、前後方向両端部が吸収パッド２００内面に対して貼り合わせられた固定部分６７とされるとともに、これら前後の固定部分６７間が非固定の自由部分６８とされており、固定部分６７における自由部分６８近傍部分及び自由部分６８には、１つ以上のギャザー弾性伸縮部材２４Ｇが前後方向に沿って伸張状態でホットメルト接着剤等により固定されている。このようにギャザー弾性伸縮部材２４Ｇが自由部分６８に固定されていることによって、ギャザー弾性伸縮部材２４Ｇの収縮作用により自由部分６８が吸収パッド２００の身体側面から起立するようになっている。
なお、ギャザー弾性伸縮部材２４Ｇは、固定部分６７に固定されていなくとも良く、少なくとも自由部分６８の先端部に固定されていれば良い。
【００３２】
なお、バリヤーシート２４における貼り合わせ部分（付根部分６５及び固定部分６７）は、図１では点模様で示されており、ホットメルト接着剤、ヒートシール、超音波シールにより形成できる。また、固定部分６７の前後方向長さは７０〜１００ｍｍ程度、又は製品長さＬに対して１／８〜１／６程度であるのが好ましく、幅は１５〜３０ｍｍ程度であるのが好ましい。
【００３３】
ギャザー弾性伸縮部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００３４】
バリヤーシート２４の素材としては、プラスチックシートやメルトブローン不織布を使用することもできるが、肌への感触性の点で、不織布にシリコーンなどにより撥水処理をしたものが好適に使用される。
【００３５】
吸収パッド２００の前後方向両端部では、透液性トップシート１が吸収体３の前後端よりも前後両側にそれぞれ延在されて貼り合わされ、吸収体２３の存在しないエンドフラップ部ＥＦが形成されている。
【００３６】
エンドフラップ部ＥＦ及びサイドフラップ部ＳＦ以外の吸収体２３介在部分が本体部ＢＤを構成する。図示形態では、吸収体２３の前端及び後端はそれぞれ幅方向に沿う直線状をなしているため、前後エンドフラップ部ＥＦと本体部ＢＤとの境界ＢＬ（本発明では折り目となる）も同様の直線状となるが、これらは円弧状等の曲線状をなしていても、へ字状等の屈曲線状をなしていても良い。各エンドフラップ部ＥＦの寸法は適宜定めることができるが、エンドフラップ部ＥＦにおいて不透液性バックシート２１と透液性トップシート２２およびバリヤーシート２４とが確実に貼り合わせられるため、少なくとも一部が本体部ＢＤとの境界ＢＬから１０ｍｍ以上食み出しているのが好ましく、また各エンドフラップ部ＥＦの面積は２０００〜１２０００ｍｍ2程度確保されているのが好ましい。
【００３７】
図１〜図４に示される形態では、サイドフラップＳＦ及び吸収体２３における股間部Ｃ２近傍部分は、前側及び後側端部よりも幅が狭くなっており、これらの部分が装着時に装着者の脚周りと接触するようになっている。
【００３８】
そして、特徴的には、図１、図３及び図４に示すように、股間部Ｃ２上で互いに交差するように配置された細長且つ可撓性である隆起抑制部材４１が一対設けられている。これら一対の隆起抑制部材４１は、端部が透液性トップシート２２の側端部における自由部分６８の前後方向両端部と対応する部分に接着されており、この部分が固定部分４１Ｘとされている。他方、固定部分４１Ｘ以外の部分は、透液性トップシート２２及びそれ以外の部材に対して非固定とされている。ここで、一対の隆起抑制部材４１は、図１に示すような吸収パッド２００の展開状態において撓むことがないよう伸びきった状態で設置されている。具体的には、隆起抑制部材４１の非固定部分は、１０〜１００ｇｆ程度の力で引張されて設置されていることが好ましい。
【００３９】
また、これら一対の隆起抑制部材４１は、股間部Ｃ２上の交差部分４１ｃで相互に接着されている。なお、隆起抑制部材４１の固定部分４１Ｘ及び交差部分４１ｃにおける接着部分は、ホットメルト接着剤、ヒートシール、超音波シールにより形成できる。一対の隆起抑制部材４１は、股間部Ｃ２上の交差部分４１ｃで相互に接着しなくとも良いが、接着されていることによって、隆起抑制部材４１、４１が相互に動きを規制するため、隆起抑制部材４１の交差部分４１ｃが股間部Ｃ２上からずれてしまうことを防止することができる。
【００４０】
隆起抑制部材４１は、幅方向長さ４１Ｗが１５〜３０ｍｍである細長の糸状、紐状、帯状等に形成されており、その素材は可撓性であれば良く、より好ましくは撥水性の素材から形成することが好ましい。撥水性の素材としては、例えば、プラスチックシートや不織布にシリコーンなどの撥水処理を施したものなどを選択することができる。隆起抑制部材４１が撥水性の素材から形成されていると、隆起抑制部材４１に排泄物が付着し難くなり、隆起抑制部材４１との接触による肌への刺激を軽減することができる。
そして、かくして構成された吸収パッド２００は、使用に際して、図５に示されるように、おむつ１００の透液性トップシート２の表面側に載置される。
【００４１】
次に、本実施形態に係る吸収パッド２００の作用効果を説明する。
本実施形態に係る吸収パッド２００では、以上のようにして隆起抑制部材４１が構成されていることによって、図６に示すように、装着者が股を閉じることによって装着者の脚の付け根部分や太ももの内側部分で股間部Ｃ２の幅方向両側部分が押えられることによって、股間部Ｃ２における吸収体２３が中央側に向かって幅方向に圧縮され、股間部Ｃ２の幅方向中央部分が身体側に向かって所定高さ以上隆起して隆起抑制部材４１に当接した場合に、隆起抑制部材４１がその長手方向に引張状態となると、引張状態とされた隆起抑制部材４１で、着用時の股間部Ｃ２の隆起を押さえ、隆起部分の高さを低くすることができるようになっている。従って、隆起部分に達した排泄物がバリヤーシート２４の自由部分６８を越えて横漏れが生じることを軽減することができる。
【００４２】
また、隆起抑制部材４１が細長とされており、且つ、股間部Ｃ２に亘って配置されていることで、液体状の排泄物が隆起抑制部材４１を伝うようにして透液性トップシート２２上に拡散し、吸収体２３の一部分に集中しないため、満遍なく吸収することができ、排泄物の逆戻りが起こりにくい。さらに、本実施形態に係る吸収パッド２００では、隆起抑制部材４１の交差部分が股間部Ｃ２上に位置しているため、吸収パッド２００を股間に当てる際に交差部分を目印とすることもできる。
【００４３】
〔その他の実施形態〕
次に、本発明に係る吸収性物品のその他の実施形態を説明する。
隆起抑制部材４１の固定部分４１Ｘは、自由部分６８の前後方向両端部と対応する部分以外の位置であっても良く、例えば図７に示すように、自由部分６８の前後方向両端部よりも前方向中央側の部分に位置していても良い。また、隆起抑制部材４１の固定部分４１Ｘは、付根部分６５におけるバリヤーシート２４と透液性トップシート２２との間に位置していても良い。さらに、隆起抑制部材４１の端部を、自由部分６８における透液性トップシート２２側の面に固定し、ここを固定部分４１Ｘとすることもできる。要するに、隆起抑制部材４１の固定部分４１Ｘは、透液性トップシート２２の身体面側における側端部、或いは、自由部分６８における透液性トップシート２２側の面のいずれかに位置していれば良い。但し、固定部分４１Ｘの位置は、一対の隆起抑制部材４１の股間部Ｃ２における交差角度θが２０〜４０度の範囲となるよう定めることが好ましい。
【００４４】
一対の隆起抑制部材４１は、その長手方向に弾性伸縮可能な部材から形成することもできる。この場合、隆起抑制部材４１を、有孔又は無孔の不織布や穴あきプラスチックシートなどから形成した隆起抑制部材４１に対して、弾性伸縮可能な糸ゴムを、隆起抑制部材４１の長手方向に沿って伸張した状態でホットメルト接着剤などにより固定することによって形成したり、スチレン系エラストマー含有不織布やポリオレフィン系高捲縮熱接着性複合繊維からなる不織布などの弾性伸縮可能な伸縮性シートから形成したりすることが提案される。
【００４５】
なお、一対の隆起抑制部材４１をその長手方向に弾性伸縮可能な部材から形成する場合、図１に示すような吸収パッド２００の展開状態において一対の隆起抑制部材４１の伸張率が１５０〜２５０％、より好ましくは２００〜２５０％となるよう一対の隆起抑制部材４１を設置することが好ましい。このように、隆起抑制部材４１がその長手方向に弾性伸縮可能な部材から形成されていることによって、装着者の動きによって吸収パッド２００の形状が変化したとしても、隆起抑制部材４１の非固定部分を引張状態に保持することができる。
【００４６】
一対の隆起抑制部材４１には、吸収材をホットメルト接着剤等によって固着することもできる。この吸収材としては、パルプ繊維の積繊体、セルロースアセテート等のフィラメントの集合体、あるいは不織布を基本とし、必要に応じて高吸収性ポリマーを混合、固着等してなるものを用いることができる。吸収材は吸収体２３と同様に、クレープ紙により包むこともできる。このように隆起抑制部材４１に吸収材が固着されていることによって、隆起抑制部材４１に接触した液体状の排泄物の一部が吸収材によって吸収されるため、吸収パッド２００の排泄物の総吸収量を増やすことができる。また、排泄物を吸収した隆起抑制部材４１はその重量が増すので、股間部Ｃ２の隆起をより確実に押さえることができる。
なお、吸収材は、吸収材によって吸収された排泄物が肌に接しないよう隆起抑制部材４１における透液性トップシート２２側の面に固着することが好ましい。
【００４７】
図８及び図９に示すように、吸収体２３の幅方向中央部分に、前後方向に沿ってスリット２３Ｓを形成することもできる。このようなスリット２３Ｓが吸収体２３に形成されていることによって、排泄物がスリット２３Ｓに沿って前後に拡散するために吸収体２３全体で排泄物の吸収を行えると共に、吸収体２３が股間部Ｃ２の中央側に向かって幅方向に圧縮された際に、スリット２３Ｓが狭くなることで吸収体２３による隆起を低くすることができる。
【００４８】
なお、スリット２３Ｓは、自由部分６８の前後方向端部よりも前後方向中央側の範囲内、より好ましくは、図８に示すように、股間部Ｃ２近傍のみに形成されていることが好ましい。スリット２３Ｓを自由部分６８の前後方向端部よりも前後方向中央側の範囲を超えて形成したとしても、吸収体２３の体積の減少によって排泄物の吸収量が少なくなった分を補うだけの、上記メリットを得ることができないことがある。
【００４９】
図１０に示すように、股間部Ｃ２及びその近傍における吸収体２３と不透液性バックシート２１との間又はカバーシート３０と不透液性バックシート２１との間には、糸ゴムから成る弾性部材５１を幅方向に伸長した状態で固定することもできる。このように弾性部材５１を設けることによって、弾性部材５１の伸縮作用により吸収体２３が波状に変形するため、吸収体の一部分だけが突出して隆起することがなく、その結果、隆起の高さを低くすることができる。なお、弾性部材５１の素材としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００５０】
サイドフラップ部ＳＦは、図１１に示すように、製品状態で内側に巻き込んでも良く、この場合、両バリヤーシート２４，２４は、不透液性バックシート２１の裏面に接着されている。
【産業上の利用可能性】
【００５１】
本発明は、使い捨ておむつや吸収パッド、生理用ナプキン等の、透液性トップシートと不透液性バックシートとの間に吸収体が介在されると共に、身体側の面における幅方向両側部にバリヤーシートが設けられた吸収性物品に適用可能なものである。
【符号の説明】
【００５２】
Ｆ２・・・前側部分（腹側部分）
Ｂ２・・・後側部分（背側部分）
Ｃ２・・・股間部
２１・・・不透液性バックシート
２２・・・透液性トップシート
２３・・・吸収体
２３Ｓ・・・スリット
２４・・・バリヤーシート
２４Ｇ・・・ギャザー弾性伸縮部材
４１・・・隆起抑制部材
５１・・・弾性部材
６５・・・付根部分
６６・・・突出部分
６７・・・固定部分
６８・・・自由部分
【図１】
0005436268.tif 000002
【図２】
0005436268.tif 000003
【図３】
0005436268.tif 000004
【図４】
0005436268.tif 000005
【図５】
0005436268.tif 000006
【図６】
0005436268.tif 000007
【図７】
0005436268.tif 000008
【図８】
0005436268.tif 000009
【図９】
0005436268.tif 000010
【図１０】
0005436268.tif 000011
【図１１】
0005436268.tif 000012
【図１２】
0005436268.tif 000013